(57)【要約】      （修正有）【課題】首、額等の身体に巻き付けて使用するのに最適で、運動中に身体の揺れに連動して揺れても身体よりずれ落ちることなく同じ状態を維持することができ、汗の吸収に適する材質を変更することなく使用できる帯状の布体と帯状の布体を製造する方法を提供。【解決手段】帯状の布体１として、汗の吸収に適する材質で構成され、首、額等の身体に巻き付けて使用する帯状の布体の長尺方向の両端側か又はその縁部付近には、相対する他端側を挿通して布体全体でリング輪を形成するための少なくとも２以上の切欠孔３が設けられ、しかも切欠孔３には挿通した他端側を切欠孔より離脱するのを防止するための離脱防止手段がその切欠孔３の孔縁に沿って取り付けられていることである。【選択図】図１
2010024604.tif 000002
【特許請求の範囲】
【請求項１】
汗の吸収に適する材質で構成され、首、額等の身体に巻き付けて使用する帯状の布体であって、布体の長尺方向の両端側又はその縁部付近には、相対する他端側を挿通し、布体全体でリング輪を形成するための少なくとも２以上の切欠孔が設けられ、しかも切欠孔には挿通した他端側を切欠孔より離脱するのを防止するための離脱防止手段がその孔縁に沿って取り付けられていることを特徴とする帯状の布体。
【請求項２】
汗の吸収に適する材質で構成され、首、額等の身体に巻き付けて使用する帯状の布体を製造する方法において、帯状の布体を製造する工程の後、布体の長尺方向の両端側、又はその縁部付近にカッター刃で１０〜６０  を有する切欠を形成する工程と、形成された切欠の縁部をホール縫製する工程とを行い、最後にホール縫製部の孔縁に離脱防止体を取り付けする工程を行うことを特徴とする帯状の布体を製造する方法。
【発明の詳細な説明】
【技術分野】
【０００１】この発明は、帯状の布体を首、額又は身体に巻き付けることで身体に装着して使用する帯状の布体と帯状の布体を製造する方法に閧する。
【背景技術】
【０００２】従来からテニス等のスポーツをする際や、ウォーキングを行う際には、汗の吸収性に優れるタオルを額、首に巻き付けて、スポーツやウォーキングのじゃまにならない状態で使用し、汗が目に入るのを防止したり、汗を拭くのに適するようにしていた。【０００３】上記タオルを、額に巻き付ける場合は、額の周に対して十分な長さを有するタオルを形成し、額に巻き付けた後、タオルの両端側を強く結ぶことでスポーツをする際に、額より落ちないようにして使用する。【０００４】上記タオルを、首に巻き付ける場合は、首の周に対して十分な長さを有するタオルを形成し、ゆとりを持った状態で首に巻き付けた後、タオルの両端側の近傍付近を結ぶこと、ウォーキング時にタオルがずり落ちたりすることなく使用者の首部分に巻き付けて使用する。
【発明が解決しようとする課題】
【０００５】しかしながら、上記タオルを首部分に巻き付けて使用する場合は、タオルを首に巻き付けた状態でウォーキングで身体を動かしているために、身体の揺れに連動してタオルが首に沿って上下動を繰り返するたととなり、タオルの生地の特性（汗の吸収性に優れる材質は、生地面積を広くするために表面に立設した糸毛が多く設けられている）により、結んだ部分に徐々に弛みが生じ、ウォーキング中にタオルが首部分よりズレたり、または離脱したりし易い。
【０００６】同様に、額に巻き付けたタオルの場合も、身体の揺れに連動してタオルに上下又は左右の揺れを与えることとなり、タオルの生地の特性により、結んだ部分に徐々に弛みが生じ易い。
【０００７】このため、上記各タオルはスポーツ時及びウォーキング時に何度も結び直して、フィットした状態に巻き付け直す必要がある。
【０００８】また、上記各タオルは両端側を結ぶために、通常のタオルより帯状に長く形成する必要があり、結んだ後の残り部分がスポーツ時及びウォーキング時にじゃまになる。
【０００９】そこで、本発明は、首、額等の身体に巻き付けて使用するのに最適で、運動中に身体の揺れに連動して揺れても身体よりずれ落ちることなく同じ状態を維持することができ、汗の吸収に適する材質を変更することなく使用できる帯状の布体と帯状の布体を製造する方法を提供することを課題としている。
【課題を解決するための手段】
【００１０】上記課題を解決するための本発明の手段は、帯状の布体として請求項１に記載のように、汗の吸収に適する材質で構成され、首、額等の身体に巻き付けて使用する帯状の布体の長尺方向の両端側か又はその縁部付近には、相対する他端側を挿通して布体全体でリング輪を形成するための少なくとも２以上の切欠孔が設けられ、しかも切欠孔には挿通した他端側を切欠孔より離脱するのを防止するための離脱防止手段がその切欠孔の孔縁に沿って取り付けられていることを特徴とするものである。
【００１１】上記課題を解決するための本発明の手段は、を製造する方法として請求項２に記載のように、汗の吸収に適する材質で構成され、首、額等の身体に巻き付けて使用する帯状の布体を製造する方法において、帯状の布体を製造する工程の後、布体の長尺方向の両端側、又はその縁部付近にカッター刃で１０〜６０  を有する切欠を形成する工程と、形成された切欠の縁部をホール縫製する工程とを行い最後にホール縫製部の孔縁に離脱防止体を取り付けする工程を行うことを特徴とする。
【発明の作用】
【００１２】本発明は汗の吸収に適する材質で構成されたの帯状の布体で、使用者の首部分、額部分、又は身体に巻き付けて使用する。
【００１３】帯状の布体を首部分、額部分、又は身体に巻き付ける際は、その長尺方向の両端側か又はその縁部付近に形成された少なくとも２以上の切欠孔のうちの一方側端側又はその縁部付近に形成された切欠孔に、他方側の端部を挿通して布体全体でリング輪を形成して身体に巻き付ける。
【００１４】この状態で運動すると、身体に巻き付けた布体が運動に連動して動くが、巻き付けた布体の切欠孔には挿通した他端側が、切欠孔より離脱するのを防止するための離脱防止手段がその切欠孔の孔縁に沿って取り付けられているために布体の他端側が切欠孔より離脱することなくリング輪を常に維持することとなる。
【００１５】身体に巻き付けた布体を取り外す場合は、布体の他端側を切欠孔より取り出すことで、リング輪を解除して、取り外す。
【００１６】本発明の帯状の布体を製造する場合は、汗の吸収に適する材質で構成され布を帯状に形成する工程の後、布体の両端側又はその縁部付近にカッター刃で１０〜６０  を有する切欠を順次形成する工程を行い、その後形成された各切欠の縁部をホール縫製する工程とを行い切欠孔を形成する。その後、形成された切欠の孔の孔縁に離脱防止体を取り付けする工程を行うことで、帯状の布体を製造する。
【００１７】各工程は独立しているために、連続した帯状の布体の製造を連続して行うことができる。
【発明の効果】
【００１８】本発明は帯状の布体は上記のように切欠孔が、布体の両端側又はその縁部付近に形成されているために、一方側端側又はその縁部付近に形成された切欠孔に、他方側の端部を挿通して布体全体でリング輪を形成して身体に巻き付けるだけて容易に布体を身体に巻き付けることができ、帯状の布体の巻き付け及び取り外し作業をスムーズに行うことができる。
【００１９】また、布体全体でのリング輪の大きさ（径）も自在に調整できるので、使用者の目的や好みに応じてリング輪を形成して身体に強く、又は緩やかに巻き付けて取り付けすることができる。
【００２０】また、布体の切欠孔の孔縁に離脱防止体が設けられているために、切欠孔に他方側の端部を挿通して布体全体でリング輪を形成して状態を維持することができ、強い運動による身体の揺れに対して挿通した他方側の端部を切欠孔に維持することができ、その利用が容易である。
【００２１】また、本発明の帯状の布体の製造方法は、連続した各工程を行うことで、帯状の布体の製造工程をスムーズに行うことができ、大量生産に対応することができる。
【発明の実施を行うための最良の実施形態】
【００２２】本発明の帯状の布体と帯状の布体を製造する方法についての最良の一実施例を説明する。
【００２３】先ず図面は下記の図１乃至図５からなり、図１、図２、図３及び図４を用いて最良の一実施例の説明とする。図１は本発明の帯状の布体を示す正面図で首に巻き付けて使用する場合の帯状の布体の基本形状と、布体に形成される切欠孔の形成位置が明示されている。図２は布体に形成された切欠孔を示す拡大正面図で切欠孔の具体的形状が明示されている。図３は図２の切欠孔をＡ−Ａ線で切り取った場合を示す拡大断面図で切欠孔に設けられた離脱防止体の具体的形状が明示されている。図４は本発明の帯状の布体をリング輪に形成した場合を示す斜視図で巻き付けたイメージが明示されている。
【００２４】次に、図面に沿って本発明の布体１を説明する。布体１は汗の吸収に適する材質で長尺方向を約１００  で短尺方向を約２５  の帯状に形成する。
【００２５】布体１の長尺方向の両端側には、それぞれ約４  以上に形成された２本以上の切欠孔３が並行に２本づつ（計４本）設けられている。
【００２６】各切欠孔３は、ボタン孔等を形成するのに使用するホール縫製を利用して形成されているために、切欠孔３に何度も他端側を挿通しても使用による孔の横方向への広がりを防止することができる。
【００２７】また、切欠孔３の内側縁には、布体１の他端側を挿通した後その離脱を防止するための離脱防止体４が、その切欠孔３内の長手方向の端部と、その中途部とに設けられている。離脱防止体４はゴム等の弾性体で構成され、内側縁と一体的に設けられているために、布部分に対する摩擦を強める働きをする。
【００２８】次に、本発明の布体１は、上記のように構成されている。次に、布体１を首に装着してウオーキングをする場合について説明する。
【００２９】先ず、布体１の一方の端部側を長尺方向に二つ折りする。そして、装着者の首で、布体１の他方の切欠孔３へ挿通してリング状に形成することで首に巻き付ける。
【００３０】この際、切欠孔３は、縫製加工されているために切欠孔３の形状を維持することができ、他端側の挿通がスムーズに行えることとなる。
【００３１】しかも、切欠孔３には離脱防止体４が設けられているために、挿通した布体１の他端側が容易に離脱することなく使用することができる。
【００３２】この状態でウオーキングをすると、体の揺れに応じて布体１が上下方向又は左右方向に揺れるが、上記のように布体１の他端側が容易に離脱しないために、布体１はリング状を維持し、ウオーキング時に首部分より離脱することがない。
【００３３】そのために、布体１の長時間の使用に適し、汗を連続して吸収することができ、ウオーキングを快適に行うことができる。
【００３４】また、布体１の他端側を切欠孔３に連続して挿通するとさらにリング状を確実に形成することができ、長時間の使用に適するとともに、さらに激しい運動にも対応することができる。
【００３５】また、切欠孔３は横方向への広がりが少なく、目立つことがないので、布体１への模様は切欠孔３を気にすることなく自在に模様付けできる。
【００３６】尚、上記実施の形態では、布体１を装着者の首部分に回して使用するのに適する長さと幅とに形成したが、本発明において布体１の大きさは特に限定されるものでない。例えば、額に巻く場合は上記実施例より小さなサイズに形成することも可能である。この場合も、額に巻いたのちに他端側を切欠孔３に挿通することで、額に維持することができ、従来のように両端部を巻き付けるような煩雑な作業を必要としない。
【００３７】また、上記実施例では布体１への切欠孔３を長尺方向の側面と並行に形成したが、本発明において切欠孔３の形成位置及び形成方向はこれに限定されるものでなく、例えば、ハの字状に連続して形成することで、他端側を切欠孔３に挿通しやすくするとともに、離脱防止体４が他端側の離脱をより強く阻止するように形成することも可能である。
【図面の簡単な説明】
【００３８】
【図１】本発明の帯状の布体を示す正面図で首に巻き付けて使用する場合の帯状の布体の基本形状と、布体に形成される切欠孔の形成位置が明示されている。
【図２】布体に形成された切欠孔を示す拡大正面図で切欠孔の具体的形状が明示されている。
【図３】図２の切欠孔をＡ−Ａ線で切り取った場合を示す拡大断面図で切欠孔に設けられた離脱防止体の具体的形状が明示されている。
【図４】本発明の帯状の布体をリング輪に形成した場合を示す斜視図で巻き付けたイメージが明示されている。
【図５】本発明の帯状の布体を示す正面図で切欠孔の他実施例が明示している。
【符号の説明】
１…布体、３…切欠孔
【図１】
2010024604.tif 000003
【図２】
2010024604.tif 000004
【図３】
2010024604.tif 000005
【図４】
2010024604.tif 000006
【図５】
2010024604.tif 000007